(57)【要約】【課題】記憶デバイスにおいて、使用者が安価で大量の情報を再生でき、これらの情報の品質を高く保つことのできる再生主体の記憶デバイスを提供する。【解決手段】磁気的、電気的な手段にてディジタル情報を記憶し、インタフェース手段を用いて前記ディジタル情報を外部と送受することが可能な記憶デバイスにおいて、外部より新たなディジタル情報を前記記憶デバイス内に書き込んだり、記憶されている情報を書き換えたりする際に、ディジタル情報の再生時とは異なる、温度、気圧、加速度などの外部条件のときにのみ、記憶が可能となる。【選択図】　図１
2004014075.tif 000002
【特許請求の範囲】
【請求項１】
磁気的、電気的な手段にてディジタル情報を記憶し、インタフェース手段を用いて前記ディジタル情報を外部と送受することが可能な記憶デバイスにおいて、外部より新たなディジタル情報を前記記憶デバイス内に書き込んだり、記憶されている情報を書き換えたりする際に、ディジタル情報の再生時とは異なる、温度、気圧、加速度などの外部条件のときにのみ、記憶が可能となることを特徴とする、記憶デバイス。
【請求項２】
基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する記憶デバイスである磁気ディスク装置において、
前記磁気ヘッドによる前記磁気ディスク上の情報の、読み出し及び書き込みの機能のうち、前記磁気ディスク周囲の空間の、温度の変化によって、読み出し及び書き込みの機能を備えた運転と、読み出しのみの機能を備えた運転とが切り替わる記憶デバイス。
【請求項３】
前記磁気ディスク周囲の空間の温度が、高い状態で読み出し及び書き込みの機能を備え、前記磁気ディスク周囲の温度が低い状態に読み出しの機能のみを備えた請求項２に記載の記憶デバイス。
【請求項４】
前記温度が約６０℃から約１００℃の範囲で前記磁気ヘッドの読み出し及び書き込みの機能を備え、前記温度が約５℃から約６０℃の範囲で読み出しの機能のみを備えた請求項２または３に記載の記憶デバイス。
【請求項５】
前記磁性膜は、その保磁力が前記常温においては前記書き込みヘッドでは記録できない程度に高く、前記高温においては記録できる程度に低いような温度勾配を持つＣｏＣｒＰｔ系材料であることを特徴とする請求項２乃至４のいずれかに記載の記憶デバイス。
【請求項６】
前記磁気ヘッドはその飽和磁束密度特性が、前記磁性膜特性との相対的関係において、前記常温に相当する保磁力に対しては記録できない程度に低く、前記高温に相当する保磁力に対しては記録できる程度に高いような特性を持つ請求項２乃至５のいずれかに記載の記憶デバイス。
【請求項７】
前記磁気ヘッドは、その浮上特性が、前記磁性膜特性との相対的関係において、前記常温に相当する保磁力に対しては記録できない程度に高く、前記高温に相当する保磁力に対しては記録できる程度に低いような特性を持つ請求項２乃至５のいずれかに記載の記憶デバイス。
【請求項８】
情報の記録・再生を行なうためのビット線、ワード線、補助ゲートとからなるメモリセルを多数備え、それらを制御する回路部分とインタフェース部分を備えて一つのパッケージに内包されている記憶デバイスである半導体ＲＯＭにおいて、
同一パッケージ内に温度センサ、乃至圧力センサもしくは加速度センサを具備し、外部の特定の環境を検知することによってのみ、前記メモリセルへの情報の書き込みや書き換えを可能とする記憶デバイス。
【請求項９】
半導体ＲＯＭの周囲の温度が、通常情報再生のために使用する常温より高い、もしくは低いときに、情報の記録もしくは書き換えが可能となるような特徴を持つ、請求項８に記載の記憶デバイス。
【請求項１０】
半導体ＲＯＭの周囲の気圧が、通常情報再生のために使用する気圧より高い、もしくは低いときに、情報の記録もしくは書き換えが可能となるような特徴を持つ、請求項８に記載の記憶デバイス。
【請求項１１】
情報を記録・再生するために、基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する記憶デバイスである磁気ディスク装置が取り付けられて、前記情報を記憶デバイスに記録する、もしくは、
情報の記録・再生を行なうためのビット線、ワード線、補助ゲートとからなるメモリセルを多数備え、それらを制御する回路部分とインタフェース部分を備えて一つのパッケージに内包される記憶デバイスである半導体ＲＯＭが取り付けられて、前記情報を記憶デバイスに記録する記録装置であって、
前記記憶デバイスの温度を変化させる温度変化手段と、前記記憶デバイスの温度を検出する検出手段と、この検出手段からの出力に応じて前記温度変化手段の動作を調節する調節手段とを備え、前記記憶デバイスの温度を高くして前記情報をこの記憶デバイスに記録する記録装置。
【請求項１２】
情報を記録・再生するために、基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する記憶デバイスである磁気ディスク装置が取り付けられて、前記情報を記憶デバイスに記録する、もしくは、
情報の記録・再生を行なうためのビット線、ワード線、補助ゲートとからなるメモリセルを多数備え、それらを制御する回路部分とインタフェース部分を備えて一つのパッケージに内包される記憶デバイスである半導体ＲＯＭが取り付けられて、前記情報を記憶デバイスに記録する記録装置であって、
前記記憶デバイス周囲の空間の気圧を変化させる気圧変化手段と、前記記憶デバイスの気圧を検出する検出手段と、この検出手段からの出力に応じて前記気圧変化手段の動作を調節する調節手段とを備え、前記記憶デバイスの気圧を低くして前記情報をこの記憶デバイスに記録する記録装置。
【発明の詳細な説明】
【０００１】
【発明の属する技術分野】
本発明は、磁気記録装置や磁気ディスク装置、半導体メモリを含む広い意味での記憶デバイス、及びこの記憶デバイス上に情報を記録するための記録装置に関する。
【０００２】
【従来の技術】
現在、大きな量の情報を配布する上で主流な媒体となっている光ディスク媒体は、１枚当たりの記録容量に上限が有るので、この上限を超える大きさの情報は、ディスク複数枚の配布になる。特に、映像や音声の情報の場合に、使用者が他の情報提供メディア等で配布される場合と同等の量の情報を得ようとすると、複数枚となってしまうことが多くなる。また、光ディスクの再生装置が一度に再生できるディスクは通常１枚であり、この場合には使用者側で、それらの媒体を順次差し替えながら情報を取得しなければならなくなる。
【０００３】
一方、従来から用いられてきた磁気テープの媒体は、比較的大容量のデータ配布が可能であるが、情報の入手はシーケンシャルにのみ可能であるため、情報をランダムにアクセスする必要がある場合や、使用者が複数の種類の情報を１つにして新たに情報を作成しようとするような場合には、情報のアクセスに時間が掛かることになる。
【０００４】
また、通信ネットワークを介して情報を入手する場合には、記憶するためのメディアが簡略化できるが、情報の入手のし易さがネットワークの通信速度に依存し、高速のネットワークインフラストラクチャが利用できない場合には、利益を享受できないことになる。また入手する情報の信頼性も、ネットワークの回線により異なるため、各使用者により情報の品質が異ってしまうことになる。さらに、より高い品質の情報を得るために使用者に大きな投資が必要となってしまう。
【０００５】
このような点から、コンピュータ等に搭載される磁気ディスク装置や、ＰＤＡ（Ｐｅｒｓｏｎａｌ　Ｄｉｇｉｔａｌ　Ａｓｓｉｓｔａｎｔ）、デジタルカメラ等に搭載される書き換え可能な半導体メモリである半導体ＲＯＭ（Ｒｅａｄ　Ｏｎｌｙ　Ｍｅｍｏｒｙ）は、短時間に大量の情報を入手して記録する、あるいは記録された情報を再度利用するには好適と考えられている。しかしながら、このような磁気ディスク装置及び書き換え可能な半導体ＲＯＭは、使用者が情報の記録や再生を自由に行えるようになっており、情報配布を目的とする配布用媒体として使用する場合、一度配布された情報の改変や改ざんが可能である。このため、配布された情報の品質や信頼性が、配布される回数が増加するにつれて低下してしまうという問題が生じる。
【０００６】
以上の観点から、従来の磁気ディスク装置や書き換え可能な半導体ＲＯＭは、情報の配布用途には適していないといえる。しかし一度に大量のデータを格納できる媒体として、特に磁気ディスク装置は魅力的であり、なんらかの手段により前記の問題が解決できれば、光ディスク媒体では為し得なかった大容量配布媒体として、新しい価値が生まれることになる。
【０００７】
磁気ディスク装置の書き換え防止策として、電気的にセキュリティ保護する方法は従来からあるが、ハードウェアが磁気ディスク装置の機能をそのまま持っている以上、何らかの手段での再生／データ改変が可能である。この問題を解決する方法として、ハードウェア上で記録と再生の条件を変える例が、当該目的とは違う目的の発明として従来から考えられている。このような従来の技術の一例は、特開平０６−３２５４２９号公報（従来技術１）に記載のものがある。この従来技術１では、ディスクの厚さ方向にて異なる磁性膜で記録領域を交換することで、情報の記録と再生とを行うものが開示されている。さらに、媒体の２層以上の記録用磁性膜とキュリー点を考慮した変温度設定により記録条件が異なる２つの記録領域を設けるという特開平１０−２６９５０２号公報（従来技術２）に記載の例がある。
【０００８】
【発明が解決しようとする課題】
しかしながら、上記の従来技術は、いずれも従来の磁気ディスク装置の系と大きく異なる。つまり、媒体であるディスクの一方の側に配置された磁気ヘッドとともに、媒体の表面に光を照射して書き込みを行う光照射手段（光ヘッド等）を同じディスク装置内に備えて、ディスク上の部分の温度を局所的に上昇させるものである。
【０００９】
このため、磁気ヘッドと光ヘッド等を同じ装置内でディスク上を移動させるため、双方の位置決め手段とこれらの駆動装置が必要となり、装置の部品点数が増え、製造コストが増大する。また、装置自体も大きく重くなってしまう。また、大きさや重量を抑えようとすると、装置内に収納できる磁気ディスクの枚数や大きさが小さくなり、装置内に記録できる大きさが低減してしまうと言う問題が生じる。このため、映像や音声といった大きな情報量のコンテンツ情報等を高速で記録したり再生したりする場合に、複数の装置が必要となったり、大きな装置が必要となってしまう。
【００１０】
また、書き込むためにディスク上の温度を変化させる手段を装置内に配置しているため、たとえ装置内で情報の書き込みの制限を行ったとしても、このような技術の一般的なレベルの知識と経験を有する者であれば、簡単に書き込み動作を行って、情報の書き換えが行われてしまうという問題が発生する。このような情報の改ざんによる配布される情報の品質の低下は、今後の情報化社会に大きな悪影響を及ぼすことになる。
【００１１】
さらに、半導体ＲＯＭにおいては、極めて容易にデータ改変が可能であり、いかに暗号化してセキュリティを強化したとしても、電気的にデータ改変されない保証がないばかりか、暗号化データへのエンコードやそれをもとのデータへ戻すエンコードの手順が複雑化し、本来の高速記録・再生の特性を失いかねない。
【００１２】
本発明の目的は、磁気ディスクや半導体ＲＯＭのような記憶デバイスにおいて、使用者が安価で大量の情報を再生でき、これらの情報の品質を高く保つことのできる記憶デバイスを提供することにある。
【００１３】
また、本発明の他の目的は、安価で大量の情報の品質を高く保って記録することのできる記録装置を提供することに有る。
【００１４】
【課題を解決するための手段】
上記目的は、記憶デバイスの一つである磁気ディスク装置に関しては以下のように解決する。
基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する磁気ディスク装置において、前記磁気ヘッドによる前記磁気ディスク上の情報の読み出し、及び書き込みの機能のうち、前記磁気ディスクの周囲の空間の温度の変化、もしくは変化した後にその状態で保持されていることによって、読み出し及び書き込みの機能を備えた運転と読み出しのみの機能を備えた運転とが切り替わることにより達成される。
さらに、前記磁気ディスク周囲の空間の温度が高い状態で読み出し及び書き込みの機能を備え、前記磁気ディスクの周囲の温度が低い状態に読み出しの機能のみを備えたことにより達成される。さらに前記温度が約６０℃から約１００℃の範囲で前記磁気ヘッドの読み出し及び書き込みの機能を備え、前記温度が約５℃から約６０℃の範囲で読み出しの機能のみを備えたことにより達成される。
また、基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する磁気ディスク装置であって、前記磁気ヘッドによる前記磁気ディスク上への情報の書き込みが行われた際の前記磁気ディスクの温度よりも低い温度で読み出し動作されることにより達成される。
また、前記磁気ヘッドによる前記磁気ディスク上への情報の書き込みが行われた際の、前記磁気ディスク周りの空間の気圧よりも高い気圧で読み出し動作されることにより達成される。
また上記目的は、記憶デバイスの一つである半導体ＲＯＭに関しては以下のように解決する。
情報の記録・再生を行なうためのビット線、ワード線、補助ゲートとからなるメモリセルを多数備え、それらを制御する回路部分とインタフェース部分を備えて一つのパッケージに内包されている半導体ＲＯＭにおいて、同一パッケージ内に温度センサ、乃至圧力センサもしくは加速度センサを具備し、外部の環境を検知することで達成される。すなわち、外部環境として、例えば温度が上昇する、気圧が低下する、加速度が加わるなどの変化があるか、変化した後にその状態で保持されている場合に、前記メモリセルへの情報記録を許可することなどの方法で、読み出し及び書き込みの機能を備えた運転と読み出しのみの機能を備えた運転とが切り替わることにより達成される。
本発明の別の目的は、まず磁気ディスク装置において、基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する磁気ディスク装置が取り付けられて前記情報を磁気ディスク装置に記録する記録装置であって、前記磁気ディスクの温度を変化させる温度変化手段と、前記磁気ディスクの温度を検出する検出手段と、この検出手段からの出力に応じて前記温度変化手段の動作を調節する調節手段とを備え、前記磁気ディスク装置の温度を高くして前記情報をこの磁気ディスク装置に記録する記録装置により達成される。
また、基板上に磁性膜を有する磁気ディスクと、この磁気ディスクを回転させるモータと、前記磁気ディスク上の情報を読み出し又は書き込みが可能な磁気ヘッドと、前記磁気ヘッドを支持する支持部材と、前記磁気ヘッドを磁気ディスク上の定められた位置に移動するための駆動機構と、前記磁気ヘッドにより読み出し又は書き込みが行われる情報の信号を送受するためのインタフェースとを有する磁気ディスク装置が取り付けられて前記情報を磁気ディスク装置に記録する記録装置であって、前記磁気ディスク周囲の空間の気圧を変化させる気圧変化手段と、前記磁気ディスクの気圧を検出する検出手段と、この検出手段からの出力に応じて前記気圧変化手段の動作を調節する調節手段とを備え、前記磁気ディスク装置の気圧を高くして前記情報をこの磁気ディスク装置に記録する記録装置により達成される。
本発明の別の目的は、情報の記録・再生を行なうためのビット線、ワード線、補助ゲートとからなるメモリセルを多数備え、それらを制御する回路部分とインタフェース部分を備え、かつ温度センサ、乃至圧力センサもしくは加速度センサを一つのパッケージ内に具備している半導体ＲＯＭにおいて、外部環境を意図的に変化させる手段により、半導体メモリ外部の温度を上昇させる、気圧を低下させる、加速度を加えるなどの変化を加えて前記情報をこの半導体ＲＯＭに記録する記録装置により達成される。
コンテンツ情報を提供する事業者の側では高温の環境下でコンテンツの記録を記憶デバイスに対して行い、その記憶デバイスを販売やレンタルを通して使用者もしくは消費者に提供する。使用者側では記憶デバイスを高温環境下に置く装置を特に用意しない限り、記録はできず再生のみ可能となる。使用者から見れば、この記憶デバイスは再生用記憶デバイスである。
使用者は、現在の情報に換えて新しいコンテンツ情報が必要となったときに、事業者へこの再生用記憶デバイスを持ち込めば、事業者の持つ高温環境を発生させる記録装置によって新しいコンテンツ情報を記録してもらうことができる。上記事業者は、例えばコンビニエンスストアなどへこの記録装置を設置することで、使用者の利便性を図ることができる。
コンテンツ情報の使用者側にとっては、大容量で使い勝手のよい、再生用記憶デバイスが提供され、事業者の側にとって容易に記録が可能な記録装置とこの再生用記憶デバイスを使って、大容量で安価なコンテンツ情報配布が実現される。コンテンツ情報を提供する事業者の側では、前記の高温環境下のみならず、低温の環境下や、低圧（もしくは高圧）の環境下、加速度入力（力の入力と同じ）にてコンテンツの記録を記憶デバイスに対して行い、以下前記と同様にこの特殊環境下のみで記録が可能な記憶デバイスを使うことで、コンテンツ情報の使用者側にとっては、大容量で使い勝手のよい、再生用記憶デバイスが提供され、事業者の側にとって容易に記録が可能な記録装置とこの再生用記憶デバイスを使って、大容量で安価なコンテンツ情報配布が実現される。
【００１５】
【発明の実施の形態】
以下に説明する本発明の実施例は、磁気ディスク装置や半導体ＲＯＭなど記憶デバイス上の情報の読み込みや書き込みといった、記憶デバイスの使用者が利用できる機能が、使用者の使用する条件に応じて変化させる機能を備えたものである。特に、記憶デバイスが使用される環境の条件を変化させることで、記憶デバイス上に記憶された情報の読み込みや書き込みといった動作の機能を変化させる機能を備えたものである。さらには、記憶デバイス上で情報読み込み及び書き込みの動作のうち、情報の読み込み及び書き込みがされる際の環境の条件と、情報の読み込みのみが行われる環境の条件が異なっているものである。
【００１６】
より具体的には、記憶デバイス周囲の温度の変化により、磁気ヘッドによる磁気ディスクの読み込み及び書き込みの機能や、メモリセルに対する読み込み及び書き込みの機能のうち、読み込み及び書き込みの機能を備えた装置の駆動または運転と、読み込みのみの機能を備えた駆動または運転とが切り替わるものである。　特に、デバイス周囲の温度が高い場合に読み出し及び書き込みの機能を備え、温度が低い場合には読み出しの機能のみを備えたものである。
【００１７】
または、記憶デバイス周囲の気圧の変化により、磁気ヘッドによる磁気ディスクの読み込み及び書き込みの機能や、メモリセルに対する読み込み及び書き込みの機能のうち、読み込み及び書き込みの機能を備えた装置の駆動または運転と、読み込みのみの機能を備えた駆動または運転とが切り替わるものである。特に、記憶デバイス周囲の気圧が低い場合に読み出し及び書き込みの機能を備え、気圧が高い場合には読み出しの機能のみを備えたものである。
【００１８】
さらに、記憶デバイス周囲の加速度の変化により、磁気ヘッドによる磁気ディスクの読み込み及び書き込みの機能や、メモリセルに対する読み込み及び書き込みの機能のうち、読み込み及び書き込みの機能を備えた装置の駆動または運転と、読み込みのみの機能を備えた駆動または運転とが切り替わるものである。特に、デバイス周囲の加速度がある程度の場合に読み出し及び書き込みの機能を備え、加速度が高い場合には読み出しの機能のみを備えたものである。
【００１９】
または、従来からの情報暗号化の手法と、前記環境変化の手法とを組み合わせて、再生専用記憶デバイスを構成してもよい。
【００２０】
また、以下に説明する本発明の実施例は、上記の記憶デバイスに書き込みを行うため、記憶デバイスを動作させる環境の条件を変化させる記録装置である。さらには、上記の記憶デバイスに書き込みを行うサービスを提供する事業モデルである。
【００２１】
以下、本発明の実施例を、図面を参照して説明する。
〔実施例１〕
図１乃至図５は本発明の第１の実施例を示したものである。
【００２２】
図１は、本発明の第１の実施例に係る磁気ディスク装置本体を示した斜視図である。図２は、図１に示す磁気ディスク装置に適用される磁気記録媒体の保磁力と温度の関係を示す模式図である。図３は、図１に示す磁気ディスク装置に適用される磁気記録媒体の、材料組成の違いによる保磁力温度特性の例を示したものである。図４は、図１に示す磁気ディスク装置の磁気記録媒体の保磁力に対する記録ヘッドの必要飽和磁束密度特性を模式的に表した図である。図５は、図１に示す磁気ディスク装置の実施例の、変形例である磁気記録媒体の保磁力に対する記録ヘッド浮上変化を模式的に表した図である。
【００２３】
図１は、上記の機能を有する本発明の実施例に係る磁気ディスク１０１を備えた磁気ディスク装置本体１００を示した斜視図である。この磁気ディスク装置１００は、磁気ディスク１０１、記録／再生ヘッドが一体となった磁気ヘッド１０２、前記磁気ディスク１０１を固定し回転する手段であるスピンドル１０３、前記磁気ヘッド１０２を前記磁気ディスク１０１上の半径方向へ移動させる手段であるアクチュエータ１０４、これらを搭載するためのベース１０５とカバー１０６、情報の記録／再生やアクチュエータを介してのヘッドの移動、スピンドルモータの回転、外部とのデータの入出力などを行う回路１０７、そして外部とのデータの出入り口となるインタフェース１０８とから構成される。
【００２４】
図２は、本発明による磁気ディスク装置に適用される磁気記録媒体の保磁力温度特性の模式図を示したものである。図３は媒体材料系とそれぞれの特性を示したものである。以下図面に従って説明する。
【００２５】
図２において、本実施例に供する媒体は、媒体保磁力が６０℃で３８００Ｏｅ（エルステッド）の点を通り約−２０Ｏｅ／℃の傾斜の特性を示す系である。本実施例の磁気ディスク装置は、使用者において、常温である５℃〜６０℃（以下、常温域）の環境温度内で使用する場合では、媒体保磁力が常に３８００Ｏｅ以上となる。また、この磁気ディスク装置の本実施例にて使用される記録ヘッドの飽和磁束密度Ｂｓは１Ｔ（テスラ）、磁気ヘッドの磁気的浮上量は１５ｎｍであり、この記録ヘッドを用いて３８００Ｏｅ以上の媒体に記録することは発生する磁界が相対的に小さくなるため困難となる。
【００２６】
一方、事業者においては、環境温度が６０℃〜１２０℃、もしくはそれ以上の温度（以下、高温域）となる特殊な記録装置を用いることにより、媒体保磁力を３８００Ｏｅ以下とすることができる。例えば１００℃においては、３０００Ｏｅまで下げることができ、上記の記録ヘッドを用いて情報を記録することが可能となる。
【００２７】
ここで、記録の可否を分ける環境温度Ｔｈをスレショルド温度Ｔｔｈ、媒体保磁力をスレショルド保磁力Ｈｃｔｈと称することにする。
【００２８】
図３は、本実施例による磁気ディスク装置に適用される磁気記録媒体の、材料組成の違いによる保磁力温度特性の例を示したものである。ＣｏＣｒ（２０）Ｐｔ（１６）の系では、Ｔｔｈ＝６０℃においてＨｃｔｈ＝３８００Ｏｅであり、傾斜は２０Ｏｅ／℃である。さらにＣｏＣｒ（１８）Ｐｔ（２０）の系では、Ｔｔｈ＝６０℃においてＨｃｔｈ＝４５００Ｏｅであり、傾斜は２５Ｏｅ／℃となるため、後者の組成の方が高温において、より記録し易くなる。
【００２９】
本実施例から、スレショルド温度Ｔｔｈよりも環境温度が低い（保磁力がＨｃｔｈより大きい）条件であって記録が困難となる領域、スレショルド温度Ｔｔｈよりも環境温度が高い（保持力がＨｃｔｈより小さい）条件であって記録及び再生（情報の書き込み及び読み込み）が可能となる領域、と分けることができる。本実施例では、前者を読み込み（再生）用領域２０１、後者を書き込み（記録）用領域２０２とする。
【００３０】
このような磁気ディスク装置では、事業者は書き込み用領域２０２の条件で磁気ディスクを作動させて情報を記録して使用者には読み込み用領域２０１の条件で装置を提供することで、磁気ディスクの使用者は読み込み（情報の再生）のみが行えるか、書き込みを困難にすることが可能となる。これにより、事業者側で磁気ディスク上に情報を記録した情報を、磁気ディスク装置ごと、または記録媒体である磁気ディスクとして提供し、書き込みは事業者または書き込みを行うサービスを提供する業者により行うという事業が提供できる。この場合、読み込み用領域２０１は使用者用領域となり、書き込み用領域２０２は事業者用領域とすることができる。もちろん、使用者用領域である２０１においても事業者も装置の使用可能である。また、書き込み用領域２０２では読み込みも行える。
【００３１】
ここで、使用者は、磁気ディスク装置または磁気ディスクを購入またはレンタル等で借入して使用する一般消費者や、これら装置やディスクを読み込み用領域２０１で使用する者を指す。一方、事業者は、書き込み用領域２０２で使用して書き込みを行える事業体、法人やこれらに属して書き込みを行える者を指す。
【００３２】
図４及び図５は、上記本発明の実施例の変形例を示したものである。図４は、図２に示す実施例の変形例の、磁気記録媒体の保磁力に対する記録ヘッドの必要な飽和磁束密度の変化を模式的に表した図である。
【００３３】
横軸の媒体保磁力Ｈｃは、前述のように環境温度に連動しており、保磁力Ｈｃ＝３８００Ｏｅの媒体に書き込める記録ヘッドの飽和磁束密度の限界Ｂｓｔｈは１テスラとなっている。必要な飽和磁束密度の変化は、Ｈｃに対してこの点を通り右上がりの特性となる。本図においては、左上部分が記録可能領域となる。Ｈｃ３８００Ｏｅよりも左側の領域４０１は右側４０２と比べて、磁気ディスク装置が駆動される温度の高い、すなわち、磁気ディスクの温度が高い領域であり、上記第１の実施例における事業者用領域２０２に相当する。この領域で情報を記録できるためには、記録ヘッドの飽和磁束密度ＢｓはＢｓｔｈ以下であればよい。例えば、事業者がＰ１という条件で記録を行うことにすると、記録ヘッドの必要飽和磁束密度Ｂｓは０．９テスラでよく、使用者が使用する条件Ｐ２では記録が困難か不可能となる条件になる。
【００３４】
図５は、図２に示す実施例のさらに別の変形例である、磁気記録媒体の保磁力に対する記録ヘッドの浮上の変化を模式的に表した図である。この図において、保磁力Ｈｃ＝３８００Ｏｅの媒体に書き込める記録ヘッドの浮上量の上限ｈｍｔｈは１５ｎｍである。必要浮上量ｈｍ（磁気的浮上量）は、Ｈｃに対してこの点を通り右下がりの特性となり、左下部分が記録な可能となる領域となる。Ｈｃ３８００Ｏｅよりも左側の領域５０１は右側５０２と比べ、磁気ディスク装置が動作される温度が高い、すなわち磁気ディスクの温度が高い領域であり、第１の実施例における事業者用領域２０２に相当する。この領域で情報を記録できるためには、記録ヘッドの浮上量ｈｍはｈｍｔｈ以上であってもよい。例えば、事業者がＰ３という条件で記録を行うことにすると、記録ヘッドの必要浮上量ｈｍは１８ｎｍでよく、使用者の使用条件Ｐ４では記録が不可能な条件になる。
【００３５】
上記の実施例によれば、記録ヘッドの高い飽和磁束密度を有していなくとも、磁気記録が可能となり、記録ヘッドにかかるコストが低減できる。また、磁気ヘッドを相対的により高い浮上高さで記録できるので、磁気ヘッドと磁気ディスクの衝突が低減され、磁気ディスク装置の信頼性が向上する。
【００３６】
また、情報の記録は事業者のみが行うことで、使用者個人が記録する場合と比べ、装置を使用して記録する際の使用条件を容易に向上させ、また均一にすることが可能となる。このため、記録される情報の品質をより高く保つことができる。
【００３７】
さらに、使用者が読み込みに使用する条件では、保磁力が情報の記録時よりも高い状態であり、磁気ヘッドやスライダ等との衝突による情報の欠落や損傷といった情報の不良が低減され、使用者にとって、情報の信頼性をより高く確保することができる。
【００３８】
図５に示すヘッド浮上量特性を利用して、図２に示す実施例のまたさらに別の変形例を構築することができる。この実施例では、スライダに搭載された磁気ヘッドと磁気ディスクとの間の浮上高さが、読み込みと書き込みとの両方が行える場合と、読み込みのみが行える場合とで異なっているようにしたものである。より具体的には、読み込みと書き込みとが行える場合の磁気ディスク装置内の気圧（ガス圧力）と、読み込みのみが行える場合の装置内の気圧とを異ならせたものである。或は、ガスの種類を異ならせたものである。
【００３９】
このようにして、書き込みと読み込みとが行える場合には、磁気ディスク装置内の気圧を低くて前記浮上高さを低い状態にし（図５の領域５０２）、磁気ヘッドからの磁界の大きさが磁気ディスク上の記録層の保磁力を上回らせて書き込みを可能にする。一方読み込みのみを行える場合には、装置内の気圧を高くして、例えば海抜０ｍでの使用を前提にする場合には１気圧にし、浮上高さを高くした状態とし（図５の領域５０１）、磁気ヘッドからの磁界が磁気ディスク上の記録層の保磁力より下回るようにして情報の書き込みを困難にする。
【００４０】
例えば、図５の領域５０２では、磁気ヘッドと磁気ディスク表面との間の浮上高さは、保磁力Ｈｃ＝３８００Ｏｅの磁気ディスクの、記録媒体の層に書き込める記録ヘッドの浮上量の上限ｈｍｔｈである１５ｎｍよりも低く調節される。一方、領域５０１では、前記浮上高さは前記ｈｍｔｈより高く調節され、磁気ヘッドによる情報の書き込みが困難となるようにされる。
【００４１】
次に、図６は、図２、４、５に示す実施例の磁気ディスク装置とこの磁気ディスク装置にその動作を調節する信号や電力を供給し、磁気ディスク装置上の情報を読み込み／書き込みするホスト（再生）装置の構成の概略を示すブロック図である。
【００４２】
特に、この図では、ホスト装置６０１（例えばパーソナルコンピュータ、情報再生用家電、情報家電等）と磁気ディスク装置６０２とから成る情報処理システムの構成の概略を示す。図上では、ホスト装置６０１は、ホストＣＰＵ６０３と、バスコントローラ６０４と、ホストＲＡＭ６０５と、ホストインタフェイスコントローラ６０６、ホストインタフェース５２０を備えている。なお、それ以外のコンポーネント、例えば表示制御を行うグラフィックスコントローラや、表示装置あるいはスピーカ、他の情報処理機器との情報のやり取りを行うネットワークコントローラ、他の記録装置等を備え、その情報を読み出したり記録するためのバスコントローラ６０４等の入出力装置があっても良い。
【００４３】
これらの装置は、接続される本実施例の磁気ディスク装置に記録されている再生すべき情報の種類に応じて使用される。例えば、映画やビデオ等の画像と音声とを伴う情報を再生する場合には、前記グラフィックコントローラにより制御される画像表示装置やスピーカが使用される。一方、地図や静止画等音声を必要としない場合には、画像表示装置のみが使用される。また、逆に音声のみの情報であれば、画像表示装置は不要であるので、スピーカのみが使用される。さらに、必要な情報に応じて、入出力装置を自在に脱着できるよう構成することにより、使用者が持ち運ぶ際の重量が軽くできるので、可搬し易くなる。例えば、画像表示装置のように大きな重量で消費電力が大きなものは、状況に応じて取り換えたり、取り外したりできるようにする。
【００４４】
ホスト装置であるホストＣＰＵ６０３は、予め入力されたプログラムに従い命令を実行する。バスコントローラ６０４は、ホストＣＰＵ６０３や、ホストＲＡＭ６０５やＲＯＭ（図示せず）、ホストインタフェースコントローラ６０６間のデータの送受信を制御する。ホストインタフェースコントローラ６０６は、外部記憶装置（本例では磁気ディスク装置６０２）側のディスクインタフェースコントローラ６０７とホストＲＡＭ６０５との間のデータの送受信を制御する。
【００４５】
一方、磁気ディスク装置６０２は、ディスクＣＰＵ６０８、ディスクインタフェースコントローラ６０７、ディスクコントローラ６０９、ディスクＲＡＭ６１０、信号処理部６１１、サーボコントローラ６１２、磁気ディスク６１４と磁気ヘッド６１５を有するＨＤＡ（Ｈｅａｄ　Ｄｉｓｋ　Ａｓｓｅｍｂｌｙ）部６１３、ディスクインターフェース６２１を備えている。
【００４６】
ディスクＣＰＵ６０８は、磁気ディスク装置６０２全体のデータ処理を制御する。ディスクコントローラ６０９は、ディスクインタフェースコントローラ６０７とディスクＲＡＭ６１０との間、並びに信号処理部６１１とディスクＲＡＭ６１０との間のデータ転送を制御する。ディスクＲＡＭは、ディスク上から読み出し／ディスク上に書き込みされる情報を記憶したり、ディスクＣＰＵが演算処理を行う際に必要な情報を一時的に記憶する記憶装置である。ＨＤＡ部６１３は、データを格納する記録媒体や、記録媒体を回転駆動するスピンドルモータや、記録／再生のための磁気ヘッドや、磁気ヘッドを支持するアクチュエータ等から構成されている。サーボコントローラ６１２は、前記スピンドルモータや、ボイスコイルモータの制御を行う。
【００４７】
また、上記ホストインタフェースコントローラ６０６と前記ディクスインタフェースコントローラ６０７とは、脱着が自在に行える。例えば、図１に示した磁気ディスク装置１００である磁気ディスク装置６０２を、そのディスクインタフェース６２１とホストインタフェース６２０とを接続して、磁気ディスク６０２に記録された情報を、ホスト装置６０２側にこれらインタフェース６２０，６２１を介して転送し、ホスト装置６０１側で使用する。ホスト装置６０１とディスク装置６０２が脱着できるので、使用者が必要に応じて、両者の組合せを選択できる。
〔実施例２〕
以下、本発明の第２の実施例について、図７を用いて説明する。
図７は、本発明の第２の実施例に係る半導体ＲＯＭ７００の構成概略を示す模式図である。
【００４８】
図７にて模式的に示す半導体ＲＯＭ７００は、情報の記録・再生を行なうためのビット線、ワード線、補助ゲートとからなるメモリセルを多数備え、それらを制御する回路部分とインタフェース部分（図示せず）を備えて一つのパッケージ（図示せず）に内包されている。それら従来の半導体ＲＯＭを構成する部分は、メモリセル部７０１で図示する領域に形成されている。同一パッケージ内に温度センサ、乃至圧力センサもしくは加速度センサを具備し、それらはセンサ部７０２で図示する領域に形成されている。ここで搭載されるセンサは以下で説明するいずれかである。
【００４９】
まず温度センサとしては、温度変化を、半導体の抵抗値変化として検知するサーミスタや、トランジスタのベース・エミッタ間の電圧変化を検知するＩＣ温度センサ、水晶振動子周波数変化としてとらえる水晶温度センサ、焦電体を用い自発分極の変化で検知する焦電型温度センサなどである。
【００５０】
圧力センサとしては、気圧変化を基準圧との差による変形量としてストレンゲージなどで検知する小型のダイヤフラムや、同じく静電容量変化として検知する静電容量圧力センサ、同じく圧電電圧を検知する圧電式圧力センサなどである。
【００５１】
加速度センサとしては、シリコンエッチングされたカンチレバー型加速度センサなどである。
【００５２】
これらはシリコンプロセスにて形成できるほど小さいので、半導体ＲＯＭのパッケージ内領域に収めることが可能である。本発明の目的は、外部の温度変化、気圧変化、加速度変化といった外部の環境を検知することで達成される。すなわち、外部環境として、例えば温度が上昇する、気圧が低下する、加速度が加わるなどの変化があった場合に、前記メモリセルへの情報記録を許可することなどの方法で、読み出し及び書き込みの機能を備えた運転と読み出しのみの機能を備えた運転とが切り替わることにより達成される。
【００５３】
なお、上記センサの外部環境検知部は、前記半導体ＲＯＭパッケージの外側に出ていることが望ましい。すなわち、温度センサの温度検知部、圧力センサの圧力検知部などは、パッケージの一部に設けられた窓を通じてパッケージ外部に開口していることが望ましい。
〔実施例３〕
以下、本発明の第３の実施例について、図８を用いて説明する。
【００５４】
図８は、本発明の第３の実施例に係る磁気ディスク装置や半導体ＲＯＭを用いた加速度検知記録型メモリの加速度検知パターンの構成例を示す模式図である。一般に磁気ディスク装置においては外部からの振動や衝撃を検知するための手段として、小型の加速度センサを備えている。また本発明の半導体ＲＯＭについては、実施例２にて説明したとおり、パッケージ内部に加速度センサを備えている。ここでは外部から加速度入力があった場合に、上記磁気ディスク装置や半導体ＲＯＭへの記録を許可する２つの例について説明する。
【００５５】
まず１つは、前記メモリデバイスに記録を行う際に、決められた一定の加速度を一定時間検知した場合に記録を許可する方法である。この場合、加速度レベルや加速度印加時間を予め設定しておくことにより、記録許可条件を定めることが可能である。しかしこの場合、磁気ディスク装置においては、加速度の存在により記録そのものが完了できない可能性がある。外部からの加速度入力により記録のための磁気ヘッドが、所定の記録トラック中心から所定以上の距離動き、記録許可されないためである。
【００５６】
そこで上記の問題を解決するための加速度パターン入力の例について、図８を用いて次に説明する。図８は外部からの加速度入力に対して、記録を許可するための印加パターンを模式的に表したものである。横軸に時間、縦軸に入力加速度パターンを示す。この例では、最初のｔ１までの間、ａ１からａ２の正の加速度を受け、次のｔ２までに加速度が反転し、ｔ２からｔ３までの間にａ４からａ３の負の加速度を受けた場合に、記憶デバイス側がたとえばｔ４からｔ５までの間、記録許可を出すものである。上記加速度パターンは予め決めてあるものであればいかなるパターンでもよい。また、図示のパターン＃１、パターン＃２のように加速度印加パターンを繰り返し加えてもよい。
〔実施例４〕
以下、本発明の第４の実施例について、図９を用いて説明する。
【００５７】
図９は、本発明の第４の実施例に係る記録装置の構成の概略を示す模式図である。図１０は、図９に示す第４の実施例に係る記録装置の加熱のシーケンスを示すグラフである。
【００５８】
図９において、記憶デバイス用記録装置の筐体９０１の前面には、記憶デバイスを挿入するためのスロット９０２が配置される。図９にてスロットは複数示しているが、一つでもよい。記録装置の内部にはヒーター９０３が配置され、このヒーターは電源９０４とスイッチ９０５、及びサーモスタット９１０とから構成されるヒーター回路９０６により加熱され、回路は操作パネル９０７によって操作される。記憶デバイス９０８をスロット９０２に挿入し、ヒーターが加熱されると記録装置内部の環境温度が上昇し、所定の記録温度に達したときに筐体９０１の内部にあるサーモスタット９１０が作動し、その温度を保持する。
【００５９】
この後、ホストコンピュータ９０９からの制御により記録情報が記憶デバイス９０８へ送られる。ここで、記録情報の内容が決まっているのであれば、記憶デバイス９０８をスロット９０２に挿入することで自動的にヒーター加熱、記録動作を行ってもよい。または、操作者が操作パネル９０７により記録情報の選択を行ってもよい。さらにホストコンピュータ９０９からヒーター加熱の制御までを行ってもよい。
【００６０】
図１０は、上記第４の実施例における、ヒーターを加熱するシーケンスを模式的に表したグラフである。この図において、常温Ｔ０から加熱を開始し、スレショルド温度Ｔｔｈを超えてＴｋに達したときに、前述のサーモスタットが作動して温度Ｔｋを保持するモードに変わる。このときの加熱開始からの時間ｔ１をモニターしておけば、時間に基づいた加熱の調節が可能となる。
【００６１】
記録がより正確に行えるためには、媒体の表面温度がスレショルド温度Ｔｔｈを超えていることが求められる。サーモスタット等のセンサによって検出された温度がスレショルド温度Ｔｔｈを超えた時刻から媒体の表面温度がスレショルド温度Ｔｔｈを超えるまでに時間差が有る場合には、予めその差を測定しておく。図において、媒体の表面温度がスレショルド温度Ｔｔｈを超える時刻はｔ２であって、上記時間差はｔ２−ｔ１となる。ｔ１からｔ２−ｔ１の間待って後、記録はｔ２からｔ３の間に行い、必要があれば記録情報の確認をｔ３からｔ４の間に行う。
【００６２】
この後、ヒーターによる加熱を停止し、装置を冷却する。本実施例では、自然方熱による冷却を行う。記憶デバイスの前記サーモスタットにより検知される温度が常温になった時点ｔ５で、記録装置の記録動作を終了する。上記の、記録情報確認の動作は記憶デバイスが常温に冷却されてから行ってもよい。また、冷却時間ｔ５−ｔ４を早めるために、記録装置にヒートパイプやペルチェ素子等で構成された冷却機構を内蔵してもよい。
〔実施例５〕
本発明の第５の実施例を、図１１を用いて説明する。図１１は、実施例１や実施例２にて説明した、気圧検知に係る記憶デバイスに情報を記録する記録装置の構成の概略を示す模式図である。
【００６３】
この図において、記憶デバイス１１０１は、内側の気圧が調節可能なチャンバー１１０２内に配置され、このチャンバー１１０２は、記憶デバイス１１０１を、インタフェース１１０３を介してホストコンピュータ１１０４に繋ぐため、図示していないが、インターフェース１１０３及びホストコンピュータ１１０４のインターフェース部とを接続するコネクタ部を備えている。気圧調節手段１１０６は、チャンバー内に連通されてチャンバー内の気体を吸引、またはチャンバー内に気体を吐出することでチャンバー１１０２内の気圧を調節できるとともに、電源１１０９とスイッチ１１１０とを備えた制御装置１１０８からの指令を受けるよう接続されている。また、チャンバー１１０２には、記憶デバイス内の気圧を検知する気圧検知センサ１１０７、気圧調節手段（例えば、真空ポンプ等の減圧ポンプ）１１０６とチャンバー１１０２とを接続するコネクタ部１１０５も備えている。
【００６４】
スイッチ１１１０がオンとなって、気圧調節手段の動作が開始されると、チャンバー１１０２内部の気圧が、情報の読み込みが可能な気圧から低減する。この際、前記記憶デバイス１１０１に内蔵される検知センサ１１０７が装置内の気圧を検知して信号を出力し、その信号が制御装置に送信される。制御装置１１０８は、この信号を受けて、気圧調節手段１１０６の動作を調節し、チャンバー１１０２内ひいては記憶デバイス１１０１内部の気圧を所定の値となるように調節する。気圧が所定の圧力となって記憶デバイス１１０１上の情報を読み込み／書き込みが可能となったことが確認された後、記憶デバイス１１０１上にインターフェース１１０３を介して情報が入力されて記録される。記録が終了すると、気圧が再度調節されて上昇し、情報の読み込みのみが行える状態に調節される。この気圧の状態で情報の書き込みが行えない状態であることが確認されると、装置のスイッチ１１１０がオフにされる。
【００６５】
磁気ディスク装置の場合、この図の実施例では、気圧を調節することで、スライダに搭載された磁気ヘッドと磁気ディスク表面との間の浮上高さを調節する例を示したが、読み込みのみが行える状態でチャンバー１１０２内または磁気ディスク装置内に存在する気体と異なる気体を供給して、前記浮上高さを低くするようにしても良い。尚、磁気ディスク装置においては、通常装置内部と外部とは通気孔を通じて同じ気圧となるような構造を有する。また半導体ＲＯＭにおいては、圧力センサ部がパッケージ外に窓を介して外部に露出しているため、いずれもデバイス筐体外の圧力変化を検知できることは言うまでもない。
〔実施例６〕
本発明の第６の実施例を、図１２を用いて説明する。図１２は、実施例３にて説明した、加速度検知に係る記憶デバイスに情報を記録する記録装置の構成の概略を示す模式図である。
【００６６】
この図において、記憶デバイス１２０１は、任意のモードで加振可能な加振台１２０２内に配置され、この加振台１２０２は、記憶デバイス１２０１を、インタフェース１２０３を介してホストコンピュータ１２０４に繋ぐため、図示していないが、インターフェース１２０３及びホストコンピュータ１２０４のインターフェース部とを接続するコネクタ部を備えている。加振手段１２０６は、加振台に連通されて加振台を加振することで加振台１２０２上の振動モードを調節できるとともに、電源１２０９とスイッチ１２１０とを備えた制御装置１２０８からの指令を受けるよう接続されている。また、加振台１２０２には、記憶デバイスへの加速度を検知する加速度センサ１２０７も備えている。
【００６７】
スイッチ１２１０がオンとなって、加速度調節手段の動作が開始されると、加振台１２０２が所定の振動モードにて振動する。その振動モードとは、例えば図８にて説明した振動パターンである。この際、加振台１２０２上に搭載される加速度センサ１２０７が加速度を検知して信号を出力し、その信号が制御装置に送信される。制御装置１２０８はこの信号を受けて、加振手段１２０６の動作を調節し、接続部１２０５を介して加振台１２０２ひいては記憶デバイス１２０１の加速度（振動モード）を所定の値となるように調節する。加速度が所定のモードとなって記憶デバイス１２０１上の情報を読み込み／書き込みが可能となったことが確認された後、記憶デバイス１２０１上にインターフェース１２０３を介して情報が入力されて記録される。記録が終了すると、加速度印加が停止される。この状態で情報の書き込みが行えない状態であることが確認されると、装置のスイッチ１２１０がオフにされる。
〔実施例７〕
次に、図１３乃至１７を用いて、本発明の第７の実施例を説明する。図１３は、本発明の第７の実施例に係る事業のサービスの流れを示す模式図である。図１４は、図１３に示す実施例の変形例である事業のサービスの流れを示す模式図である。図１５は、図１３に示す実施例の別の変形例である事業のサービスの流れを示す模式図である。図１６は、図１３に示す実施例のさらに別の変形例である事業のサービスの流れを示す模式図である。図１７は、図１３に示す実施例のさらに別の変形例である事業のサービスの流れを示す模式図である。
【００６８】
図１３は、上記実施例で示した記憶デバイスを用いて、音楽情報や画像情報、種々のデータ等の情報を、使用者もしくは一般消費者に販売する方法を模式的に表したものである。記憶デバイスメーカもしくは記録装置メーカ１３０１は、コンテンツ事業者１３０２へ記憶デバイスを販売して代金を受け取り、また記録装置を販売または貸与してその代金またはライセンス料を受け取る。コンテンツ事業者は使用者もしくは一般消費者１３０３へ、コンテンツ情報を記録した記憶デバイスを販売または貸与し、その見返りに代金やコンテンツ利用料などを受け取る。一度記憶デバイスを手にした使用者もしくは一般消費者１３０３は、コンテンツ情報が不要となれば記憶デバイスをコンテンツ事業者の元へ持ち込んで、新たなコンテンツ情報を情報料金のみで記録してもらうことができる。
【００６９】
上記の実施例の場合には、使用者もしくは一般消費者は新たな情報を記録してもらうために、場合によっては遠隔地にあるコンテンツ事業者の元へ出向かなければならない。
【００７０】
一方、図１４に示す事業では、記憶デバイスメーカー１４０１は記憶デバイスのみ製造し、記録装置はライセンスの供与により記録装置メーカー１４０２が製作する。そして、記憶デバイスメーカー１４０１はコンテンツ事業者１４０３へ記憶デバイスを販売して代金及びライセンス料を受け取る。一方、記録装置メーカー１４０２は記録事業者１４０４へ記録装置を販売もしくは貸与し、代金もしくはライセンス料を受け取る。コンテンツ事業者は使用者もしくは一般消費者１４０５へ、コンテンツ情報を記録した記憶デバイスを販売または貸与し、その見返りに代金やコンテンツ利用料などを受け取る。一方で、コンテンツ事業者は記録事業者１４０５へ、コンテンツ情報を販売し、その代金を受け取る。使用者もしくは一般消費者１４０５は、新たなコンテンツ情報記録を記録事業者１４０４へ出向いて行い、新たなコンテンツ情報を取得する代わりに利用料を記録事業者へ支払う。
【００７１】
この場合の記録事業者１４０４は、例えばコンビニエンスストア等において事業者が行えば、記憶デバイスを購入または借入して使用する使用者が新たに情報を記録して使用したい場合に、利便性が良い。
【００７２】
一方、図１５に示す事業では、また別の事業の例を示している。図１５では、図１４に示した記憶デバイスメーカー、記録装置メーカーを省略しているが、この部分は図１４にて説明したものと同様である。コンテンツ事業者１５０１は使用者もしくは一般消費者１５０２へ、コンテンツ情報を記録した記憶デバイスを販売または貸与し、その見返りに代金やコンテンツ利用料などを受け取る。一方で、コンテンツ事業者は記録事業者１５０３へ、コンテンツ情報を販売し、その代金を受け取る。使用者もしくは一般消費者１５０２は、新たなコンテンツ情報記録を記録事業者１５０３へ出向いて行い、新たなコンテンツ情報を取得する代わりに利用料を記録事業者へ支払う。ここで、使用者もしくは一般消費者１５０２は、コンテンツ事業者１５０１よりコンテンツ入り記憶デバイスを購入したり、記録事業者１５０３より新たなコンテンツを購入する際、一定のコンテンツ品質保持を保証するキー１５０４を併せて購入する。この品質保証は、例えば映像であれば、ＭＰＥＧ２の６４０×４８０となるＶＧＡレベルの画質を保証すること等である。使用者もしくは一般消費者１５０２がさらに品質の高い映像を要求する場合、それに対応するキーを購入することで、例えばＨＤＴＶ並みの映像を見ることが可能となる。これらの映像は、予め記憶デバイス中に入れておけば、キーの種類により再生する映像の品質を変えればよい。
【００７３】
一方、図１６に示す例では、また別の事業の例を示している。図１６では、図１４に示した記憶デバイスメーカー、記録装置メーカーを省略しているが、この部分は図１４にて説明したものと同様である。そしてコンテンツ事業者と記録事業者はひとつとなり、コンテンツ記録事業者１６０１として表される。コンテンツ記録事業者１６０１に対し、使用者もしくは一般消費者１６０２が自らの保持するデータを前記記憶デバイスに記録したい場合、使用者もしくは一般消費者１６０２は、ディジタルメディアに限らず記録したい情報が搭載されている媒体１６０３をコンテンツ記録事業者１６０１に持ち込む。これは通信回線を用いて持ち込んでも良い。併せて記録料金１６０４を支払うことで、上記記憶デバイス上に持ち込んだコンテンツを記録するサービス１６０５を受けることが可能となる。
【００７４】
さらに、図１７に示す例では、また別の事業の例を示している。図１７では、図１４に示した記憶デバイスメーカー、記録装置メーカーを省略しているが、この部分は図１４にて説明したものと同様である。そしてコンテンツ事業者と記録事業者はひとつとなり、コンテンツ記録事業者１７０１として表される。コンテンツ記録事業者１７０１に対し、使用者もしくは一般消費者Ａ１７０２が自らの保持するパーソナルコンテンツを配布する場合、使用者もしくは一般消費者Ａ１７０２は、自らのパーソナルコンテンツ１７０３をコンテンツ記録事業者１７０１に持ち込む。これは通信回線を用いて持ち込んでも良い。この見返りとしてコンテンツ料金１７０４を受け取ることができる。コンテンツ記録事業者１７０１は料金１７０４の支払いと見返りに使用の権利も得ることができ、記憶デバイス上に上記パーソナルコンテンツを記録し、別の使用者もしくは一般消費者Ｂ１７０５へ販売１７０６して、代金１７０７を受け取る。ここで、コンテンツ記録事業者１７０１は、使用者もしくは一般消費者Ａ１７０２からパーソナルコンテンツを購入する際、別の使用者もしくは一般消費者Ｂ１７０５が現れるまでは購入を保留し、Ｂが現れてからパーソナルコンテンツと権利の売買を行っても良い。
【００７５】
本発明に供する記憶デバイスの一つ、磁気ディスク装置のサイズは、持ち運びの利便性を考えると、ディスク径２．５インチサイズの磁気ディスク装置もしくはそれよりも小さいサイズの磁気ディスク装置であることが望ましい。
【００７６】
また、半導体ＲＯＭの場合、５０×５０ｍｍ、厚さ５ｍｍ程度のサイズより小さいものが望ましい。
【００７７】
上記実施例によれば、磁気記録用の媒体である磁気ディスクの温度特性を適切に設定したり、気圧変化に伴う磁気ヘッドの浮上特性を適切に設定したり、外部からの振動条件を適切に設定したりすることにより、使用者と事業者との間で磁気ディスク装置の機能を異ならせることができる。また半導体メモリにおいて、同一メモリパッケージ内に組み込まれた温度センサ、圧力センサ、加速度センサにて検知する値を適切に設定することにより、使用者と事業者との間で半導体メモリの機能を異ならせることができる。これにより、使用者による記録された情報の改ざんや再配布が抑制される。また、情報の記録はこれを行う事業者で行われるので、記録時における記憶デバイスの条件を良好にすることが容易に行え、記録された情報の欠落や破損といった不良が抑制される。
【００７８】
従来の記録／再生を行える記憶デバイスの一つ、磁気ディスク装置は、通常は、あらゆる劣悪な機械的環境条件に対応させるために厳しい仕様で設計されているので、製造コストが上昇したり記録容量が制限されたりしていた。上記の実施例によれは、情報の記録の際はより良好な環境条件で行って情報の品質を確保することができ、従ってより大容量で安価な磁気ディスク装置を提供できる。また、磁気ディスク装置の信頼性を高めることができる。
【００７９】
また、記憶デバイスへの書き込みは、記録を行う業者で行われ、一度消費者が記憶デバイスを手にすれば、記録事業者の元へそれを持ち込むだけでいつでも新しいコンテンツ情報を取得することができる。従来のレンタルビデオのように、場合によっては在庫切れとなり、情報を入手できないといったことが低減する。さらに、外部へ情報が漏れる危険性が常につきまとう通信ネット配信に比較して、セキュリティは格段に高い。
【００８０】
以上から、上記実施例の記憶デバイスまたは記録装置を活用することにより、コンテンツ情報の効果的で利便性の良い配布が可能となる。また、これらの装置を使用した記録のサービスを行う事業により、信頼性の高い情報の配布が可能となる。
【００８１】
【発明の効果】
以上の通り、本発明によれば、記憶デバイスにおいて、使用者が安価で大量の情報を再生でき、これらの情報の品質を高く保つことのできる記憶デバイスを提供できる。
また、安価で大量の情報の品質を高く保って記録することのできる記録装置を提供できる。
【図面の簡単な説明】
【図１】本発明の第１の実施例に係る記憶デバイスの一つである磁気ディスク装置本体を示した斜視図である。
【図２】図１に示す磁気ディスク装置に適用される磁気記録媒体の保磁力と温度の関係を示す模式図である。
【図３】図１に示す磁気ディスク装置に適用される磁気記録媒体の、材料組成の違いによる保磁力温度特性の例を示したものである。
【図４】図１に示す磁気ディスク装置の磁気記録媒体の保磁力に対する記録ヘッドの必要飽和磁束密度特性を模式的に表した図である。
【図５】図１に示す磁気ディスク装置の実施例の、変形例である磁気記録媒体の保磁力に対する記録ヘッド浮上変化を模式的に表した図である。
【図６】図１に示す磁気ディスクにおけるヘッド位置決めサーボ系の特性を表した図である。
【図７】本発明の第２の実施例に係る記録装置の構成の概略を示す模式図である。
【図８】図７に示す第２の実施例に係る記録装置の変形例の構成を示した模式図である。
【図９】図７に示す第２の実施例に係る記録装置の別の変形例の構成を示す模式図である。
【図１０】図７に示す第２の実施例に係る記録装置の加熱のシーケンスを示すグラフである。
【図１１】本発明の第３の実施例に係る磁気ディスク装置の磁気ディスクの磁気記録媒体の保磁力に対する記録ヘッドの必要飽和磁束密度の変化を示すグラフである。
【図１２】図１１に示す実施例に係る磁気ディスク装置に情報を記録する記録装置の構成の概略を示す模式図である。
【図１３】図１に示す実施例に係る磁気ディスク装置に適用される磁気記録媒体の材料組成の違いによる保磁力−温度の変化の例を示したものである。
【図１４】本発明の第４の実施例に係る事業のサービスの流れを示す模式図である。
【図１５】図１４に示す実施例の変形例である事業のサービスの流れを示す模式図である。
【図１６】図１４に示す実施例の変形例である事業のサービスの流れを示す模式図である。
【図１７】図１４に示す実施例の変形例である事業のサービスの流れを示す模式図である。
【符号の説明】
１００…磁気ディスク装置、１０１…磁気ディスク、１０２…磁気ヘッド、１０３…スピンドル、１０４…アクチュエータ、１０５…ベース、１０６…カバー、１０７…回路、１０８…インタフェース、２０１…読み込み用領域、２０２…書き込み用領域、４０１…高温領域、４０２…常温領域、５０１…高温領域、又は高圧領域、５０２…常温領域、又は低圧領域、６０１…ホスト装置、６０２…磁気ディスク装置、６０３…ホストＣＰＵ、６０４…バスコントローラ、６０５…ホストＲＡＭ、６０６…ホストインタフェースコントローラ、６０７…ディスクインタフェースコントローラ、６０８…ディスクＣＰＵ、６０９…ディスクコントローラ、６１０…ディスクＲＡＭ、６１１…信号処理部、６１２…サーボコントローラ、６１３…ＨＤＡ部、６１４…磁気ディスク、６１５…磁気ヘッド、６２０…ホストインタフェース、６２１…ディスクインタフェース、９０１…筐体、９０２…スロット、９０３…ヒーター、９０４…電源、９０５…スイッチ、９０６…ヒーター回路、９０７…操作パネル、９０８…記憶デバイス、９０９…ホストコンピュータ、９１０…サーモスタット、１１０１…記憶デバイス、１１０２…チャンバー、１１０３…インタフェース、１１０４…ホストコンピュータ、１１０５…コネクタ部、１１０６…気圧調節手段、１１０７…気圧検知センサ、１１０８…制御装置、１１０９…電源、１１１０…スイッチ、１２０１…記憶デバイス、１２０２…加振台、１２０３…インタフェース、１２０４…ホストコンピュータ、１２０５…接続部、１２０６…加振手段、１２０７…加速度センサ、１２０８…制御装置、１２０９…電源、１２１０…スイッチ、１３０１…記憶デバイスメーカもしくは記録装置メーカ、１３０２…コンテンツ事業者、１３０３…使用者もしくは一般消費者、１４０１…記憶デバイスメーカ、１４０２…記録装置メーカ、１４０３…コンテンツ事業者、１４０４…記録事業者、１４０５…使用者もしくは一般消費者、１５０１…コンテンツ事業者、１５０２…使用者もしくは一般消費者、１５０３…記録事業者、１５０４…キー、１６０１…コンテンツ記録事業者、１６０２…使用者もしくは一般消費者、１６０３…媒体、１６０４…記録料金、１６０５…コンテンツ記録サービス、１７０１…コンテンツ記録事業者、１７０２…使用者もしくは一般消費者Ａ、１７０３…パーソナルコンテンツ、１７０４…コンテンツ料金、１７０５…使用者もしくは一般消費者Ｂ、１７０６…コンテンツ販売、１７０７…代金。
【図１】
2004014075.tif 000003
【図２】
2004014075.tif 000004
【図３】
2004014075.tif 000005
【図４】
2004014075.tif 000006
【図５】
2004014075.tif 000007
【図６】
2004014075.tif 000008
【図７】
2004014075.tif 000009
【図８】
2004014075.tif 000010
【図９】
2004014075.tif 000011
【図１０】
2004014075.tif 000012
【図１１】
2004014075.tif 000013
【図１２】
2004014075.tif 000014
【図１３】
2004014075.tif 000015
【図１４】
2004014075.tif 000016
【図１５】
2004014075.tif 000017
【図１６】
2004014075.tif 000018
【図１７】
2004014075.tif 000019